(57)【要約】      （修正有）【課題】位置データを用いる聴覚装置、音声システム、及び関連する方法を提供する。【解決手段】聴覚装置２を音声システムとペアリングするステップと、聴覚装置の動きの検出を開始するステップと、聴覚装置の位置を示す位置データを音声システムに送信するステップと、音声ストリーム５４を聴覚装置の位置データに基づいてワイヤレスで受信するステップと、音声ストリームをワイヤレス入力信号５６に変換するステップと、入力信号６０を形成するようワイヤレス入力信号をマイクロホン１４からの音声入力信号５８とミキシングするステップと、出力信号６２を形成するよう入力信号を処理するステップと、出力信号を音声出力信号６４に変換するステップと、を含む。【選択図】図１
2015144430.tif 000002
【特許請求の範囲】
【請求項１】
第１のアンテナと、前記第１のアンテナに結合される第１のトランシーバと、音響出力トランスデューサと、マイクロホンと、一次処理ユニットとを備え、前記一次処理ユニットが前記第１のトランシーバ、前記音響出力トランスデューサ、および前記マイクロホンに結合される聴覚装置を動作させる方法であって、
前記聴覚装置を音声システムとペアリングするステップと、
聴覚装置の動きの検出を開始するステップと、
聴覚装置の位置を示す位置データを前記音声システムに送信するステップと、
第１の音声ストリームを前記聴覚装置の前記位置データに基づいてワイヤレスで受信するステップと、
前記第１の音声ストリームを第１のワイヤレス入力信号に変換するステップと、
入力信号を形成するよう前記第１のワイヤレス入力信号を前記マイクロホンからの音声入力信号とミキシングするステップと、
出力信号を形成するよう前記入力信号を処理するステップと、
前記出力信号を音声出力信号に変換するステップと、
を含む、方法。
【請求項２】
位置変化基準が満たされた場合に、前記位置データが前記音声システムに送信される、請求項１に記載の方法。
【請求項３】
聴覚装置の動きの検出を開始する前記ステップが、基準座標系を設定するステップを含む、請求項１または２に記載の方法。
【請求項４】
前記位置データが前記聴覚装置の角度位置データを備える、請求項１から３のいずれか一項に記載の方法。
【請求項５】
前記位置データが前記第１のトランシーバを介して送信される、請求項１から４のいずれか一項に記載の方法。
【請求項６】
前記聴覚装置が第２のアンテナを備え、
前記位置データが前記第２のアンテナを介して送信される、請求項１から５のいずれか一項に記載の方法。
【請求項７】
前記聴覚装置が第２のアンテナを備え、
前記聴覚装置を音声システムの１つ以上の装置とペアリングするステップが、前記第２のアンテナを介して行われる、請求項１から６のいずれか一項に記載の方法。
【請求項８】
聴覚装置であって、
第１のアンテナと、
前記第１のアンテナに結合され、１つ以上の音声ストリームを音声システムからワイヤレスで受信するよう構成される第１のトランシーバであって、前記１つ以上の音声ストリームが第１の音声ストリームを含み、前記聴覚装置が前記聴覚装置を前記音声システムとペアリングするように構成される、第１のトランシーバと、
マイクロホンと、
聴覚損失を軽減するために聴覚処方に従って入力信号を処理するよう適応した一次処理ユニットと、
前記一次処理ユニットからの出力信号を音声出力信号に変換するために前記一次処理ユニットの出力に結合される音響出力トランスデューサと、
第１の入力および第２の入力を有する二次処理ユニットであって、前記第１の入力は、前記第１のトランシーバからの前記第１の音声ストリームを表す第１のワイヤレス入力信号を受信するため、前記第１のトランシーバの出力に結合され、前記第２の入力は、前記マイクロホンからの音声入力信号を受信するため、前記マイクロホンの出力に結合され、前記二次処理ユニットは、前記第１のワイヤレス入力信号と前記音声入力信号とをミキシングして前記二次処理ユニットの出力で入力信号を形成するよう構成され、前記二次処理ユニットの前記出力は、前記一次処理ユニットの前記入力に結合される、二次処理ユニットと、
前記聴覚装置の位置データを検出し、前記音声システムに送信するように構成される位置コントローラと、
を備える、聴覚装置。
【請求項９】
前記位置コントローラが、動き検出装置と、前記動き検出装置に接続される位置推定装置とを備え、前記位置推定装置が、動き検出装置の出力に基づいて前記聴覚装置の位置データを推定するよう構成される、請求項８に記載の聴覚装置。
【請求項１０】
第１の音源を含む１つ以上の音源を備え、第１のアンテナと、前記第１のアンテナに結合される第１のトランシーバと、処理ユニットとを備え、前記処理ユニットが前記第１のトランシーバに結合される音声システムを動作させる方法であって、
前記音声システムを聴覚装置とペアリングするステップと、
聴覚装置の位置を示す位置データを受信するステップと、
前記第１の音源からの第１の入力信号を含む前記１つ以上の音源からの入力信号を受信するステップと、
第１のワイヤレス出力信号を形成するよう前記聴覚装置の位置データに基づいて前記入力信号を処理するステップと、
前記第１のワイヤレス出力信号に基づいて第１の音声ストリームを前記聴覚装置に送信するステップと、
を含む、方法。
【請求項１１】
前記第１の音源の位置データを取得するステップ、を含み、
前記入力信号を処理する前記ステップが、前記第１の音源の位置データに基づく、請求項１０に記載の方法。
【請求項１２】
前記音声システムが第２の音源を備え、
前記１つ以上の音源から入力信号を受信するステップが、前記第２の音源から第２の入力信号を受信するステップを含み、前記第１のワイヤレス出力信号が前記第１および第２の入力信号に基づく、請求項１０または１１に記載の方法。
【請求項１３】
前記第２の音源の位置データを取得するステップ、を含み、
前記第１および第２の音源からの前記入力信号を処理するステップが、前記第２の音源の位置データに基づく、請求項１２に記載の方法。
【請求項１４】
前記聴覚装置が、第１および第２の聴覚装置を備える両耳用聴覚装置であり、
前記入力信号を処理するステップが、第１の一次ワイヤレス出力信号および第１の二次ワイヤレス出力信号を形成するよう前記聴覚装置の位置データに基づいて前記入力信号を処理するステップを含み、
第１の音声ストリームを前記聴覚装置に送信するステップが、第１の一次音声ストリームを前記第１の聴覚装置に送信するステップと、第１の二次音声ストリームを前記第２の聴覚装置に送信するステップとを含む、請求項１０から１３のいずれか一項に記載の方法。
【発明の詳細な説明】
【技術分野】
【０００１】
本開示は、聴覚装置を動作させる方法、聴覚装置、および音声システムを動作させるための方法に関する。特に、本開示は、人混みの環境における補聴器ユーザの視覚と聴覚キューの一致を向上させるための方法および装置に関する。
【背景技術】
【０００２】
異なる音声ストリームを分離する能力が限られた有限帯域幅を有するテレコイルソリューションを介して聴覚装置に音声をストリーム配信することは公知である。さらに、ワイヤレス通信技術の継続的な発展の中で、聴覚装置への、および聴覚装置からのワイヤレス通信が増加している。多数の外部マイクロホンまたは他の音源を介して音声が人混みに配信される環境では、現在の技術は、異なる位置からの音声信号を分離する能力に限界がある。
【発明の概要】
【発明が解決しようとする課題】
【０００３】
異なる音源からの音声信号の分離を向上させた聴覚装置の必要性が存在する。
【０００４】
公知の解決法にもかかわらず、多くのマイクロホン／音源を備える人混みの領域におけるユーザーエクスペリエンスの向上の必要性が依然として存在する。
【課題を解決するための手段】
【０００５】
従って、聴覚装置を動作させる方法が提供される。聴覚装置は、第１のアンテナと、第１のアンテナに結合される第１のトランシーバと、音響出力トランスデューサと、マイクロホンと、一次処理ユニットとを備え、一次処理ユニットは、第１のトランシーバ、音響出力トランスデューサ、およびマイクロホンに結合される。本方法は、聴覚装置を音声システムとペアリングするステップと、聴覚装置の動きの検出を開始するステップと、聴覚装置の位置を示す位置データを音声システムに送信するステップと、第１の音声ストリームを聴覚装置の位置データに基づいてワイヤレスで受信するステップと、第１の音声ストリームを第１のワイヤレス入力信号に変換するステップと、入力信号を形成するよう第１のワイヤレス入力信号をマイクロホンからの音声入力信号とミキシングするステップと、出力信号を形成するよう入力信号を処理するステップと、出力信号を音声出力信号に変換するステップと、を含む。
【０００６】
さらに、聴覚装置が提供される。聴覚装置は、第１のアンテナと、第１のアンテナに結合され、１つ以上の音声ストリームを音声システムからワイヤレスで受信するよう構成される第１のトランシーバであって、１つ以上の音声ストリームは第１の音声ストリームを含み、聴覚装置は聴覚装置を音声システムとペアリングするように構成される、第１のトランシーバと、マイクロホンと、聴覚損失を軽減するために聴覚処方に従って入力信号を処理するよう適応した一次処理ユニットと、一次処理ユニットからの出力信号を音声出力信号に変換するために一次処理ユニットの出力に結合される音響出力トランスデューサと、第１の入力および第２の入力を有する二次処理ユニットであって、第１の入力は、第１のトランシーバからの第１の音声ストリームを表す第１のワイヤレス入力信号を受信するため、第１のトランシーバの出力に結合され、第２の入力は、マイクロホンからの音声入力信号を受信するため、マイクロホンの出力に結合され、二次処理ユニットは、第１のワイヤレス入力信号と音声入力信号とをミキシングして二次処理ユニットの出力で入力信号を形成するよう構成され、二次処理ユニットの出力は、一次処理ユニットの入力に結合される、二次処理ユニットと、聴覚装置の位置データを検出し、音声システムに送信するために構成される位置コントローラと、を備える。
【０００７】
さらに、音声システムを動作させる方法が提供される。音声システムは、マイクロホンを任意選択で有する第１の音源を含む１つ以上の音源を備え、音声システムは、第１のアンテナと、第１のアンテナに結合される第１のトランシーバと、処理ユニットとを備え、処理ユニットは、第１のトランシーバに結合される。本方法は、音声システムを聴覚装置とペアリングするステップと、聴覚装置の位置を示す位置データを受信するステップと、第１の音源からの第１の入力信号を含む１つ以上の音源からの入力信号を受信するステップと、第１のワイヤレス出力信号を形成するよう聴覚装置の位置データに基づいて入力信号を処理するステップと、第１のワイヤレス出力信号に基づいて第１の音声ストリームを聴覚装置に送信するステップと、を含む。
【０００８】
聴覚装置において受信される音声ストリームは聴覚装置の位置（方向および／または距離）に基づいており、それによって、聴覚装置のユーザーエクスペリエンスを向上させることが、本発明の利点である。従って、聴覚装置の位置（方向および／または距離）により、音声信号の優先順位付けが行われてもよい。
【０００９】
さらに、開示する聴覚装置および方法により、通常は人混みでの増幅により失われてしまう聴き手の視覚と聴覚キューの一致が向上する。
【００１０】
聴覚装置の一次処理ユニットおよび／または二次処理ユニットは、聴覚装置のユーザの聴覚損失または聴覚障害を補うよう構成されてもよい。聴覚装置の一次処理ユニットおよび／または二次処理ユニットは、受信した音声ストリーム、例えば、第１の音声ストリーム、ワイヤレス入力信号、例えば、第１のワイヤレス入力信号、および／または入力信号を変化させて、聴覚装置のユーザの聴覚損失または聴覚障害を補うよう構成されてもよい。
【００１１】
聴覚装置は二次処理ユニットと一次処理ユニットとを備えている。二次処理ユニットおよび一次処理ユニットは、二次処理ユニットおよび一次処理ユニット両方のタスクを実行する単一の処理ユニットとして組み込まれてもよい。
【図面の簡単な説明】
【００１２】
本発明の上記および他の特徴および利点は、添付図面を参照して、その例示的な実施形態の以下の詳細な説明により、当業者には容易に明らかとなろう。
【００１３】
【図１】図１は例示的な聴覚装置を略図的に示す。
【図２】図２は例示的な聴覚装置を略図的に示す。
【図３】図３は、例示的な音声システムおよび例示的な聴覚装置を、両耳用聴覚装置の形態で略図的に示す。
【図４】図４は、聴覚装置を動作させる例示的な方法についてのフロー図を示す。
【図５】図５は、聴覚装置を動作させる例示的な方法についてのフロー図を示す。
【図６】図６は、音声システムを動作させる例示的な方法についてのフロー図を示す。
【００１４】
図は明確化のために概略化され、簡素化されており、それらは単に本発明の理解に不可欠な詳細を示しているにすぎず、他の詳細は省略されている。全体を通して、同様の符号を、同一または対応する部分に対して用いる。
【発明を実施するための形態】
【００１５】
本発明は、聴覚装置、音声システム、および、聴覚装置の位置データに基づいて聴覚装置における信号処理の適応を可能にする方法に関する。
【００１６】
音声システムにおいて、１つ以上のトランシーバまたはトランシーバを備える送信機は、音声トラックおよび／または音声ストリームを、例えば、１つ以上の聴覚装置へ配信または送信するために構成される。音声システムは、第１のトランシーバと、任意選択で第２のトランシーバとを備えていてもよい。トランシーバは１つ以上の音声ストリームを伝送してもよい。トランシーバはトランシーバのアドレスによって識別されてもよい。送信機は、音声トラックおよび／または音声ストリームをワイヤレスで伝送するよう構成されてもよい。
【００１７】
音声トラックは可聴信号である。例示的な可聴信号は、スピーチ、音楽、空港での呼び出し、映画のサウンドトラック、またはそれらの組み合わせである。
【００１８】
音声ストリームは音声トラックを表す電磁信号である。音声ストリームは、それぞれが１つ以上の音声パケットを備える多数の音声ブロックによって表される。音声パケットは音声ストリームの限定的な部分を備えている。
【００１９】
音声パケットは、音声トラックＩＤ、トランシーバアドレスまたはＩＤ、音声グループＩＤ、音源ＩＤ等の１つ以上の構成要素を備えてもよい音声ストリーム識別子を備えていてもよい。音声トラックＩＤは同一の音声トラックを表す音声ストリームの選択を可能にしてもよく、音声グループＩＤは特定のグループの音声トラックまたは音声ストリームを識別してもよく、例えば、音声グループは同一または同類の言語、例えば、英語、デンマーク語、または中国語の音声トラックであってもよい。
【００２０】
音声パケットは、音声パケットを送信するトランシーバのトランシーバアドレスを備えていてもよく、従って、聴覚装置が他のトランシーバから送信された音声パケットを選別または分離することを可能にする。
【００２１】
ワイヤレスの音声ストリームを送信および受信するステップは、ワイヤレス技術を用いることによって達成されてもよく、従って、音声ブロックを１つ以上の周波数、例えば、２．４ＧＨｚ〜２．５ＧＨｚの範囲、８００ＭＨｚ〜１ＧＨｚの範囲、３．６ＧＨｚ〜３．７ＧＨｚの範囲、および／または４．９ＧＨｚ〜５．９ＧＨｚの範囲の周波数で送信／受信する。
【００２２】
一次処理ユニットは第１のトランシーバを制御するよう構成されてもよい。第１のトランシーバおよび／または第２のトランシーバは、２．４ＧＨｚ〜２．５ＧＨｚの範囲、８００ＭＨｚ〜１ＧＨｚの範囲、３．６ＧＨｚ〜３．７ＧＨｚの範囲、および／または４．９ＧＨｚ〜５．９ＧＨｚの範囲の周波数で音声ストリームを受信するよう構成されてもよい。第１のトランシーバおよび／または第２のトランシーバは、１６９ＭＨｚ〜２１８ＭＨｚの範囲および／または４８０ＭＨｚ〜５２０ＭＨｚの範囲の周波数で音声ストリームを受信するよう構成されてもよい。
【００２３】
聴覚装置と音声システム、例えば、音声システムの１つ以上の音源とをペアリングするステップは、聴覚装置から音声システムへ聴覚装置情報を送信するステップを含んでもよい。聴覚装置情報は、聴覚装置ＩＤ、聴覚装置メーカ、聴覚装置モデル、および／または聴覚装置構成データのうちの１つ以上を備えてもよい。聴覚装置と音声システムをペアリングするステップは、追加として、または代替として、音声システムから聴覚装置へ音声システム情報を送信するステップ、および／または、音声システムから音声システム情報を受信するステップを含んでもよい。音声システム情報は、音声システムＩＤ、音源ＩＤ、トランシーバＩＤ、および／または音声ストリーム構成データのうちの１つ以上を備えてもよい。
【００２４】
音声システムは、聴覚装置から受信する聴覚装置情報、例えば、モデルおよび／またはメーカ、データ符号化形式等に基づいて、聴覚装置に送信される第１の音声ストリームの形式を適応させるよう構成されてもよい。さらに、聴覚装置と音声システムとのペアリングは、音声システムからの送信前に、第１の音声ストリーム等の音声ストリームの暗号化を可能にし、受信したワイヤレス入力信号、例えば、第１のワイヤレス入力信号の復号化を、聴覚装置において可能にするように、暗号鍵を交換するステップを含んでもよい。
【００２５】
聴覚装置と音声システムとのペアリングにより、音声システムからの音声ストリーム、例えば、第１の音声ストリームの送信が開始されてもよい。
【００２６】
聴覚装置と音声システムとのペアリングにより、聴覚装置が、音声システムによって送信されるワイヤレス入力信号、例えば、第１のワイヤレス入力信号の受信を開始してもよい。
【００２７】
位置コントローラが、一次処理ユニットから／への位置制御信号を受信および／または送信するために一次処理ユニットに結合されてもよい。
【００２８】
聴覚装置は、第２のトランシーバおよび／または第２のアンテナを備えてもよい。第２のトランシーバおよび／または第２のアンテナは位置コントローラに結合されてもよい。
【００２９】
第２のトランシーバおよび／または第２のアンテナは一次処理ユニットに結合されてもよい。
【００３０】
聴覚装置と音声システムとのペアリングは聴覚装置の第１のトランシーバおよび／または第２のトランシーバを介して実行されてもよい。
【００３１】
聴覚装置は、聴覚装置の位置を示す位置データを音声システムまたは音声システム内の装置に送信する。聴覚装置は、聴覚装置の位置を示す位置データを別の聴覚装置または周辺装置またはスマートフォンまたはタブレットコンピュータ等の外部装置を介して音声システムに送信してもよい。従って、第１のトランシーバおよび／または第２のトランシーバは、ワイヤレス信号を１つ以上の音声システムまたは他の聴覚装置、携帯電話、またはタブレットコンピュータ等の他の外部装置から／へ伝送および／または受信するよう構成されてもよい。
【００３２】
聴覚装置は、聴覚装置の位置を示す位置データを第１のトランシーバおよび／または第２のトランシーバにより音声システムに送信してもよい。
【００３３】
聴覚装置の位置コントローラは、動き検出器と、任意選択で、動き検出装置に接続される位置推定装置とを備えてもよい。位置推定装置は、例えば、動き検出装置からの動き検出装置の出力に基づき、聴覚装置の位置データを推定するよう構成されてもよい。動き検出装置は、複数のセンサ、例えば、１つ以上のジャイロスコープおよび／または１つ以上の加速度計を備えてもよい。
【００３４】
聴覚装置の位置データおよび／または音源からの位置データは、一定の時間間隔、例えば、１００ｍｓ毎、または５００ｍｓ毎、または１０００ｍｓ毎に継続的または定期的に送信されてもよい。代替として、または追加として、位置変化基準が満たされた場合に、位置データを音声システムに送信してもよい。例えば、聴覚装置は位置が変化したことを検出してもよく、聴覚装置が位置の変化を検出した場合、新しい位置が第１の外部装置に送信される。変化基準は、例えば、変化閾値よりも大きい方位角の変化であってもよい。変化閾値は、０．５°より大きい、または１°より大きい、または２°より大きい、または５°より大きくてもよい。別の例示的な方法および／または聴覚装置において、位置データは、位置変化基準が満たされた場合に、また、少なくとも一定の時間間隔毎、例えば、１００ｍｓ毎、または５００ｍｓ毎、または１０００ｍｓ毎に、音声システムに送信されてもよい。それによって、位置データは定期的に更新されるが、変化の検出によってより頻繁に更新される。
【００３５】
音声システムは聴覚装置からの位置データの送信に対応して位置データを受信してもよい。
【００３６】
聴覚装置のバッテリ性能に限界があるため、聴覚装置から伝送されるデータ量を制限することは有益であろう。位置データを送信する必要性を低減することにより、例えば、位置変化基準が満たされた場合にのみ位置データを送信することによって、聴覚装置の電力消費が低減される。
【００３７】
聴覚装置の動きの検出を開始するステップは、基準座標系を設定するステップを含んでもよい。聴覚装置の動きの検出を開始するステップは、聴覚装置および音源の初期位置合わせ情報が決定される較正手順を含んでもよい。較正手順は基準座標系を設定するステップを含んでもよい。基準座標系の設定は、例えば、聴覚装置のユーザが、所定の距離で特定の音源または他の基準を見ている等、所定の（基準）方向を、および／または、所定の（基準）距離で見ている間、聴覚装置および／または音源の絶対位置データを登録するステップを含んでもよい。基準座標系は、音源および／または聴覚装置に関して特定位置に原点を有してもよい。
【００３８】
位置データは聴覚装置の角度位置データを備えてもよい。例えば、位置データは聴覚装置の方位角情報を備えてもよい。方位角は聴覚装置を着用しているユーザの見ている方向を示してもよい。代替として、または、追加として、位置データは高度角情報を備えてもよい。
【００３９】
位置データは聴覚装置の距離位置データを備えてもよい。例えば、位置データは音源および／または基準点に対する聴覚装置の距離情報を備えてもよい。
【００４０】
位置データは聴覚装置の第１のトランシーバおよび／または第１のアンテナを介して送信されてもよい。代替として、または追加として、位置データは聴覚装置の第２のトランシーバを介して送信されてもよい。聴覚装置は第２のアンテナを備えてもよい。第２のトランシーバは第２のアンテナに結合されてもよい。位置データは第２のアンテナを介して送信されてもよい。聴覚装置と音声システムの１つ以上の装置とのペアリングは第２のアンテナを介して行われてもよい。
【００４１】
音声システムは、第１の音源および任意選択で第２の音源を含む１つ以上の音源を備えている。音声システムは第３の音源および／または第４の音源を備えてもよい。第１の音源は第１のマイクロホンを備えてもよい。第２の音源は第２のマイクロホンを備えてもよい。音声システムはプロセッサと第１のトランシーバとを有する中央ユニットを備えてもよい。音源は、入力信号をプロセッサに供給するために中央ユニットに対して有線で結合されてもよく、および／または、ワイヤレスに結合されてもよい。
【００４２】
音声システムを動作させる方法は、第１の入力信号を第１の音源から受信し、および／または、第２の入力信号を第２の音源から受信する等、複数の入力信号をそれぞれ複数の音源から受信するステップを含んでもよい。
【００４３】
音声システムを動作させる方法はさらに、複数の音源、例えば、第１の音源および第２の音源からの入力信号、すなわち、第１の入力信号および第２の入力信号を処理するステップを含んでもよい。入力信号の処理は、第１のワイヤレス出力信号を形成するよう聴覚装置の位置データに基づいてもよい。
【００４４】
聴覚装置の位置データに基づいて入力信号を処理するステップは、聴覚装置の位置データに基づいて、第１の入力信号に対する第１のゲインおよび／または第２の入力信号に対する第２のゲインを含む１つ以上のゲインを決定するステップと、ゲインを音源からのそれぞれの入力信号に適用するステップとを含んでもよい。
【００４５】
音声システムを動作させる方法は、１つ以上の音源、例えば、第１の音源および／または第２の音源の位置データを取得するステップを含んでもよい。音源の位置データは音声システム設定手順中に取得されてもよい。これは、音源が静止している場合に特に有用である。
【００４６】
入力信号の処理は音源の位置データに基づいてもよい。第１の入力信号の処理は第１の音源の位置データに基づいてもよく、および／または、第２の入力信号の処理は第２の音源の位置データに基づいてもよい。例えば、聴覚装置によって検出される動きは、移動する音源を見ているユーザによってもたらされてもよく、これは好ましくは聴覚装置に受信される音声の変化を招くべきではない。第１のワイヤレス出力信号を形成するよう第１の入力信号および／または第２の入力信号等の入力信号を処理するステップは、第１の音源および／または第２の音源等のそれぞれの音源の位置データと、聴覚装置の位置データとの両方に基づいてもよい。
【００４７】
聴覚装置は、第１の聴覚装置および第２の聴覚装置を備える両耳用聴覚装置システムであってもよい。入力信号を処理するステップは、第１の一次ワイヤレス出力信号および第１の二次ワイヤレス出力信号を形成するよう聴覚装置の位置データに基づいて入力信号を処理するステップを含んでもよい。第１の音声ストリームを聴覚装置へ送信するステップは、第１の一次音声ストリームを第１の聴覚装置へ送信するステップと、第１の二次音声ストリームを第２の聴覚装置へ送信するステップとを含んでもよい。
【００４８】
第１の一次ワイヤレス出力信号および第１の二次ワイヤレス出力信号は、少なくとも部分的に頭部伝達関数（ＨＲＴＦ）に基づいてもよい。これは、異なる耳に対して振幅および位相の両方の異なった変化を必然的にもたらし、従って、聞く時の頭部の動きの効果のより自然な認識を両耳用聴覚装置のユーザに知覚させる。
【００４９】
第１の入力信号を処理するステップは、第１のゲインＧ１を第１の入力信号に適用するステップを含んでもよい。第１のゲインＧ１は、第１のワイヤレス出力信号を形成するよう第１の入力信号に適用されてもよい。第１のゲインＧ１は聴覚装置の位置データに基づいてもよく、例えば、
Ｇ１＝ｆ（ＰＨＤ）
によって与えられる。ここで、ＰＨＤは聴覚装置の位置データである。
【００５０】
複数の音源、例えば、第１の音源および第２の音源を有する音声システムにおいて、複数の音源からの入力信号を処理するステップは、ベクトルゲインを適用するステップを含んでもよい。ベクトルゲインは各入力信号に対するゲインを備えてもよい。ベクトルゲインＧはＧ＝ｆ（ＰＨＤ）
によって与えられてもよい。
【００５１】
複数のゲインおよび／または第１のゲインはさらに、音源の位置データ等の入力を備えてもよい。
Ｇ＝ｆ（ＰＨＤ，ＰＡＳ）
ここで、ＰＨＤは聴覚装置の位置データであり、ＰＡＳは音源の位置データである。複数の音源の場合、ＰＡＳは各音源の位置データを有するベクトルであってもよい。
【００５２】
第１の入力信号を処理するステップは、第１のリスニングフィールド（ＦＩＬ）基準が満たされた場合、すなわち、補聴器の位置が、補聴器ユーザが第１の音源を聞きたいと望んでいることを示している場合に、第１のゲインを第１の値に設定するステップを含んでもよい。第１の入力信号を処理するステップは、第１のＦＩＬ基準が満たされない場合に第１のゲインを第２の値に設定するステップを含んでもよい。第１の値は第２の値より大きくてもよい。
【００５３】
第１のＦＩＬ基準は、ユーザの視野方向と聴覚装置から第１の音源への方向との間の角度である第１の視野角に基づいてもよい。第１のＦＩＬ基準は
｜α１｜＜Ｔ１，１
によって与えられてもよい。ここで、α１は第１の視野角であり、Ｔ１，１は第１の音源に対する第１の閾角度である。第１の閾角度Ｔ１，１は１５〜６０°の範囲であってもよい。
【００５４】
第２の入力信号を処理するステップは、第２のリスニングフィールド（ＦＩＬ）基準が満たされた場合、すなわち、補聴器の位置が、補聴器ユーザが第２の音源を聞きたいと望んでいることを示している場合に、第２のゲインを第１の値に設定するステップを含んでもよい。第２の入力信号を処理するステップは、第２のＦＩＬ基準が満たされない場合に第２のゲインを第２の値に設定するステップを含んでもよい。第１の値は第２の値より大きくてもよい。
【００５５】
第２のＦＩＬ基準は、ユーザの視野方向と聴覚装置から第２の音源への方向との間の角度である第２の視野角に基づいてもよい。第２のＦＩＬ基準は
｜α２｜＜Ｔ２，１
によって与えられてもよい。ここで、α２は第２の視野角であり、Ｔ２，１は第２の音源に対する第１の閾角度である。第１の閾角度Ｔ２，１は１５〜６０°の範囲であってもよい。
【００５６】
図１は例示的な聴覚装置を略図的に示している。聴覚装置２は、第１のアンテナ４、第１のトランシーバ６、一次処理ユニット８、音響出力トランスデューサ１０、位置コントローラ１２、マイクロホン１４、および二次処理ユニット１６を備えている。
【００５７】
聴覚装置２は、１つ以上の音源を含む音声システムとペアリングするよう構成されている。例えば、聴覚装置２と１つ以上の音源とのペアリングは、聴覚装置２を音声システムとペアリングすることによって達成される。
【００５８】
第１のトランシーバ６は、第１のアンテナ４に結合され、音声システムから第１の音声ストリーム５４を含む１つ以上の音声ストリームをワイヤレスで受信するよう構成されている。１つ以上の音声ストリームはそれぞれのワイヤレス入力信号に変換され、例えば、第１の音声ストリーム５４は第１のワイヤレス入力信号５６に変換される。
【００５９】
二次処理ユニット１６は第１の入力１８と第２の入力２０とを有している。第１の入力１８は第１のトランシーバ６の出力に結合される。第２の入力２０はマイクロホン１４の出力に結合される。二次処理ユニット１６は、第１の入力１８で第１のトランシーバ６から第１のワイヤレス入力信号５６を受信し、第２の入力２０でマイクロホン１４から音声入力信号５８を受信する。二次処理ユニット１６は、第１のワイヤレス入力信号５６と音声入力信号５８とをミキシングして二次処理ユニット１６の出力で入力信号６０を形成するよう構成される。
【００６０】
一次処理ユニット８は聴覚装置の入力信号６０を処理して出力信号６２を形成する。一次処理ユニット８は二次処理ユニット１６の出力に結合される入力を有している。一次処理ユニット８は、入力信号６０のノイズリダクション、フィルタリング、増幅等の信号処理を実行してもよい。一次処理ユニット８は、聴覚装置２のユーザの聴覚障害を考慮するよう入力信号６０の信号処理を実行してもよい。
【００６１】
二次処理ユニット１６および一次処理ユニット８は、図１において点線の四角で示すような単一の処理ユニットとして組み込まれてもよい。
【００６２】
音響出力トランスデューサ１０は、一次処理ユニット８の出力に結合され、一次処理ユニットの出力信号６２を受信し、出力信号６２を音声出力信号６４に変換する。音声出力信号６４は聴覚装置２のユーザが知覚できる。
【００６３】
位置コントローラ１２は聴覚装置２の位置データを検出し、音声システムに送信するために構成されている。位置コントローラ１２は、動き検出装置２２と、任意選択で、動き検出装置２２の出力に基づいて聴覚装置の位置データを推定するために構成される位置推定装置２４とを備えている。例示的な聴覚装置において、動き検出装置の出力は直接トランシーバ６に結合されてもよい。聴覚装置２の位置データは第１の外部装置を介して音声システムに送信されてもよい。図示の実施例において、位置コントローラ１２は位置データを示す位置データ出力信号６６を第１のトランシーバ６に伝送する。第１のトランシーバ６は、位置データ出力信号６６に基づいて、直接または第１の外部装置を介してのいずれかで、ワイヤレス位置データ信号６８を第１のアンテナ４を介して音声システムに送信する。
【００６４】
代替の例示的な聴覚装置（図示せず）において、ワイヤレス位置データ信号６８は、聴覚装置内の第２のトランシーバおよび／または第２のアンテナを介して音声システムに送信されてもよい。
【００６５】
図２は例示的な音声システム３０を略図的に示している。音声システム３０は、第１の音源３２、処理ユニット３８、および第１のアンテナ３４に結合される第１のトランシーバ３６を備えている。処理ユニット３８は第１のトランシーバ３６に結合される。第１の音源３２は、マイクロホンを備え、処理ユニット３８に接続される。
【００６６】
音声システム３０は第１の音源３２から第１の入力信号５０を受信する。第１の入力信号５０は第１のワイヤレス出力信号５２を形成するよう処理される。第１の音声ストリーム５４は第１のワイヤレス出力信号５２に基づいて聴覚装置２に送信される。音声システムによって送信される第１の音声ストリーム５４は、図１に示す聴覚装置によって受信される音声ストリーム５４に対応する。
【００６７】
音声システム３０は聴覚装置２からワイヤレス位置データ信号６８を受信する。ワイヤレス位置データ信号６８は聴覚装置２の位置を示している。ワイヤレス位置データ信号６８は第１のアンテナ３４を介して第１のトランシーバ３６によって受信される。第１のトランシーバは、ワイヤレス位置データ信号６８に基づいて位置データ入力信号７０を音声システム３０の処理ユニット３８に伝送する。入力信号５０の処理は聴覚装置２の位置データに基づいている。従って、第１のワイヤレス出力信号５２は聴覚装置２の位置に適合している。
【００６８】
代替の例示的な音声システム（図示せず）において、ワイヤレス位置データ信号６８は、音声システム内の第２のトランシーバおよび／または第２のアンテナによって受信されてもよい。
【００６９】
図３は、例示的な音声システム３０’と、第１の聴覚装置２６および第２の聴覚装置２８を備える例示的な聴覚装置システムとを略図的に示している。第１の聴覚装置２６および／または第２の聴覚装置２８は本明細書に開示する聴覚装置、例えば、聴覚装置２であってもよい。音声システム３０’は、第１のマイクロホンを備える第１の音源３２と、第２のマイクロホンを備える第２の音源３２’とを備える。第１の音源３２および第２の音源３２’は、第１および第２の入力信号をプロセッサに供給するために、プロセッサ３８を有する中央ユニット３３にインターフェイス３５を介してワイヤレスで結合される。プロセッサ３８は、音声システム内の第２のアンテナ４２および第２のトランシーバ４４を介して聴覚装置２６、２８のうちの一方または両方の位置データを受信し、受信した聴覚装置位置データに基づいて音源３２、３２’からの第１および第２の入力信号を処理して、第１の一次ワイヤレス出力信号および第１の二次ワイヤレス出力信号を形成する。各聴覚装置２６、２８は、位置データを音声システムに送信するために、第２のアンテナ４２と、位置コントローラ１２に結合される第２のトランシーバ４４とを備えている。位置コントローラ１２は聴覚装置２６、２８のうちの一方において省略されてもよい。第１の一次ワイヤレス出力信号および第１の二次ワイヤレス出力信号は、第１の聴覚装置に対する第１の一次音声ストリームおよび第２の聴覚装置に対する第１の二次音声ストリームとして、第１のトランシーバ３６を介して第１の聴覚装置２６および第２の聴覚装置２８にそれぞれ送信される。第１の一次ワイヤレス出力信号および第１の二次ワイヤレス出力信号は、第１および第２のチャネルを備える単一の第１の音声ストリームへ多重化されてもよい。
【００７０】
図４は、聴覚装置または聴覚装置システムを動作させる例示的な方法１００のフロー図を示している。方法１００は、聴覚装置を音声システムとペアリングするステップ１０２、聴覚装置の動きの検出を開始するステップ１０４、位置データを送信するステップ１０６、音声ストリームを受信するステップ１０８、音声ストリームをワイヤレス入力信号に変換するステップ１１０、入力信号を形成するようワイヤレス入力信号を音声入力信号とミキシングするステップ１１２、出力信号を形成するよう入力信号を処理するステップ１１４、および出力信号を音声出力信号に変換するステップ１１６を含んでいる。
【００７１】
聴覚装置を音声システムとペアリングするステップ１０２は、聴覚装置を音声システムの１つ以上の音源とペアリングするステップを含んでもよい。聴覚装置と音声システムとをペアリングするステップ１０２はさらに、聴覚装置と音声システムとの間で、聴覚装置ＩＤデータ、音声システムＩＤデータ、および／または音源ＩＤデータを交換するステップを含んでもよい。
【００７２】
聴覚装置の動きの検出を開始するステップ１０４は、聴覚装置において動き検出を作動させるステップを含んでもよい。位置データを送信するステップ１０６は、聴覚装置の位置を示す位置データを音声システムに送信するステップを含んでもよい。
【００７３】
音声ストリームを受信するステップ１０８は、第１の音声ストリームを聴覚装置の位置データに基づいて受信するステップ、および／または、第２の音声ストリームを聴覚装置の位置データに基づいて受信するステップを含んでもよい。
【００７４】
音声ストリームを変換するステップ１１０は、第１の音声ストリームを第１のワイヤレス入力信号に変換するステップ、および／または、第２の音声ストリームを第２のワイヤレス入力信号に変換するステップを含んでもよい。
【００７５】
入力信号を形成するようワイヤレス入力信号を音声入力信号とミキシングするステップ１１２は、入力信号を形成するよう第１のワイヤレス入力信号を聴覚装置のマイクロホンからの音声入力信号とミキシングするステップを含んでもよい。代替として、または追加として、入力信号を形成するようワイヤレス入力信号を音声入力信号とミキシングするステップ１１２は、１つ以上の入力信号を形成するよう複数のワイヤレス入力信号、例えば、第１および第２のワイヤレス入力信号を１つ以上の音声入力信号とミキシングするステップを含んでもよい。
【００７６】
出力信号を形成するよう入力信号を処理するステップ１１４は、聴覚装置のユーザの聴覚損失または聴覚障害を補うよう、入力信号に信号処理、例えば、フィルタリング、増幅、ノイズリダクション、および／または調整を施すステップを含んでもよい。出力信号を形成するよう入力信号を処理するステップ１１４は、第１の出力信号を形成するよう第１の入力信号を処理するステップを含んでもよい。
【００７７】
出力信号を音声出力信号に変換するステップ１１６は、第１の出力信号を第１の音声出力信号に変換するステップを含んでもよい。音声出力信号は聴覚装置のユーザが知覚できるものであってもよい。
【００７８】
聴覚装置が継続的に、位置データを送信し１０６、音声ストリームを受信し１０８、音声ストリームをワイヤレス入力信号に変換し１１０、入力信号を形成するようワイヤレス入力信号を音声入力信号とミキシングし１１２、出力信号を形成するよう入力信号を処理し１１４、出力信号を音声出力信号に変換する１１６ように、方法１００がループされてもよいことは、強調して述べておく。さらに、方法の異なる部分が、同時に、および／または順次、行われてもよい。
【００７９】
図５は、聴覚装置を動作させる例示的な方法１００’のフロー図を示している。例示的方法１００’は、図４に示す方法１００と同様のステップを含んでいる。しかし、方法１００’は、聴覚装置が継続的に、音声ストリームを受信し１０８、音声ストリームをワイヤレス入力信号に変換し１１０、入力信号を形成するようワイヤレス入力信号を音声入力信号とミキシングし１１２、出力信号を形成するよう入力信号を処理し１１４、出力信号を音声出力信号に変換する１１６、方法のループを示している。
【００８０】
方法１００’はさらに位置変化基準１１８を含んでいる。位置変化基準が満たされた場合、方法１００’は位置データを送信するステップ１０６に戻る。位置変化基準が満たされていない場合、方法１００’は音声ストリームを受信するステップ１０８に戻る。位置変化基準１１８により、ステップ１０６において位置データを再送信すべきとするのに十分な大きさの位置変化が生じたかどうかが決定される。位置変化基準１１８の組み込みは、聴覚装置のトランシーバから音声システムへのワイヤレスデータの伝送量を低減させ、それによって聴覚装置のバッテリの寿命を向上させるであろう。
【００８１】
図６は、音声システムを動作させる例示的な方法２００のフロー図を示している。方法２００は、聴覚装置とペアリングするステップ２０２、聴覚装置の位置データを受信するステップ２０４、音源から入力信号を受信するステップ２０６、ワイヤレス出力信号を形成するよう位置データに基づいて入力信号を処理するステップ２０８、ワイヤレス出力信号に基づいて音声ストリームを聴覚装置に送信するステップ２１０を含んでいる。
【００８２】
聴覚装置とペアリングするステップ２０２は、聴覚装置を音声システムの１つ以上の音源とペアリングするステップを含んでもよい。聴覚装置とペアリングするステップ２０２はさらに、聴覚装置と音声システムとの間で、聴覚装置ＩＤデータ、音声システムＩＤデータ、および／または音源ＩＤデータを交換するステップを含んでもよい。
【００８３】
聴覚装置の位置データを受信するステップ２０４は、更新された位置データを継続的に受信するステップを含んでもよい。代替として、または追加として、聴覚装置の位置データを受信するステップ２０４は、位置データが変化した場合に位置データを受信するステップを含んでもよい。受信した位置データは聴覚装置の位置を示している。
【００８４】
音源から入力信号を受信するステップ２０６は、第１の音源から第１の入力信号を受信するステップ、および／または、第２の音源から第２の入力信号を受信するステップを含んでもよい。
【００８５】
ワイヤレス出力信号を形成するよう位置データに基づいて入力信号を処理するステップ２０８は、第１のワイヤレス出力信号を形成するよう位置データに基づいて第１の入力信号を処理するステップ、および／または、第２のワイヤレス出力信号を形成するよう位置データに基づいて第２の入力信号を処理するステップを含んでもよい。代替として、複数の入力信号が、第１のワイヤレス出力信号を形成するよう位置データに基づいて処理されてもよい。
【００８６】
ワイヤレス出力信号に基づいて音声ストリームを聴覚装置に送信するステップ２１０は、第１のワイヤレス出力信号に基づいて第１の音声ストリームを聴覚装置に送信するステップ、および／または、第２のワイヤレス出力信号に基づいて第２の音声ストリームを聴覚装置に送信するステップを含んでもよい。
【００８７】
任意選択で、方法２００は、聴覚装置とペアリングするステップ２０２と、聴覚装置の位置データを受信するステップ２０４との間に、音源の位置データを取得するステップ２１２を含んでもよい。音源は移動可能であってもよく、従って、音源の位置データを取得または検出し２１２、入力信号の処理２０８において音源の位置データを含ませることは、有益であり得る。
【００８８】
ワイヤレス出力信号を形成するよう入力信号を処理するステップ２０８は、聴覚装置からの位置データおよび／または音源からの位置データに基づいてもよい。
【符号の説明】
【００８９】
２  聴覚装置
４  第１のアンテナ
６  第１のトランシーバ
８  一次処理ユニット
１０  音響出力トランスデューサ
１２  位置コントローラ
１４  マイクロホン
１６  二次処理ユニット
１８  二次処理ユニットの第１の入力
２０  二次処理ユニットの第２の入力
２２  動き検出装置
２４  位置推定装置
２６  第１の聴覚装置
２８  第２の聴覚装置
３０，３０’  音声システム
３２  第１の音源
３２’  第２の音源
３３  中央ユニット
３４  第１のアンテナ
３５  インターフェイス
３６  第１のトランシーバ
３８  処理ユニット
４２  第２のアンテナ
４４  第２のトランシーバ
５０  入力信号（音声システム）
５２  ワイヤレス出力信号
５４  音声ストリーム
５６  ワイヤレス入力信号
５８  音声入力信号
６０  入力信号（聴覚装置）
６２  出力信号
６４  音声出力信号
６６  位置データ出力信号
６８  ワイヤレス位置データ信号
７０  位置データ入力信号
１００，１００’  聴覚装置を動作させる方法
１０２  音声システムとのペアリング
１０４  聴覚装置の動きの検出開始
１０６  位置データの送信
１０８  音声ストリームの受信
１１０  音声ストリームをワイヤレス入力信号へ変換
１１２  入力信号を形成するようワイヤレス入力信号を音声入力信号とミキシング
１１４  出力信号を形成するよう入力信号を処理
１１６  出力信号を音声出力信号へ変換
１１８  位置変化基準の満足
２００  音声システムを動作させる方法
２０２  聴覚装置とのペアリング
２０４  聴覚装置の位置データの受信
２０６  音源からの入力信号の受信
２０８  ワイヤレス出力信号を形成するよう位置データに基づいて入力信号を処理
２１０  ワイヤレス出力信号に基づいて音声ストリームを聴覚装置に送信
２１２  音源の位置データの検出
【図１】
2015144430.tif 000003
【図２】
2015144430.tif 000004
【図３】
2015144430.tif 000005
【図４】
2015144430.tif 000006
【図５】
2015144430.tif 000007
【図６】
2015144430.tif 000008
【外国語明細書】
2015144430000001.pdf
2015144430000002.pdf
2015144430000003.pdf
2015144430000004.pdf